(57)【要約】【課題】  ショック目を効果的に防止でき、汎用性を備えた印刷機を提供する。【解決手段】  本発明にかかる枚葉印刷機１は、外周面２０に巻き付けられるブランケット３７の両端部を、外周面２０に形成されたブランケット胴ギャップ部３９に係止させて取り付けるブランケット胴１９を有する枚葉印刷機１であって、ブランケット胴ギャップ部３９におけるブランケット胴１９の外周面２０から連続する両方の周縁部５７，５９のうち少なくとも一方の周縁部５７は、ブランケット胴１９の長手方向に沿って回転方向Ｋの位置が変化する湾曲形状とされていることを特徴とする。【選択図】      図３
2008201092.tif 000002
【特許請求の範囲】
【請求項１】
周面に巻き付けられるブランケットの両端部を、該周面に形成されたギャップ部に係止させて取り付けるブランケット胴を有する印刷機であって、
前記ギャップ部における該ブランケット胴の前記周面から連続する両方の周縁部のうち少なくとも一方の周縁部は、該ブランケット胴の長手方向に沿って回転方向の位置が変化する湾曲形状とされていることを特徴とする印刷機。
【請求項２】
前記湾曲形状は、前記ブランケット胴の幅方向略中央部に対して略左右対称とされていることを特徴とする請求項１に記載された印刷機。
【請求項３】
前記周縁部は、ギャップ部側に向かうに連れ外径が漸次小さくなるような曲線形状とされていることを特徴とする請求項１または請求項２に記載された印刷機。
【請求項４】
前記湾曲形状は、中央部が前記ギャップ部側に突出するように形成されていることを特徴とする請求項１から請求項３のいずれかに記載された印刷機。
【請求項５】
前記湾曲形状は、中央部が前記ギャップ部側から離れるように形成されていることを特徴とする請求項１から請求項３のいずれかに記載された印刷機。
【請求項６】
前記湾曲形状は、凹凸を繰り返すように形成されていることを特徴とする請求項１から請求項３のいずれかに記載された印刷機。
【発明の詳細な説明】
【技術分野】
【０００１】
本発明は、印刷機に関するものである。
【背景技術】
【０００２】
印刷機のブランケット胴には、版胴から画像が転写されるブランケットが巻きつけられて保持されている。ブランケット胴の周面には、このブランケットの両端を固定する一対のゴム張り軸を収納するためにギャップが設けられている。
このギャップの回転方向における両端部が隣り合う印刷胴、たとえば、圧胴に係合あるいは離脱する際、ブランケット胴に大きな衝撃荷重が作用し、それが他の部分で隣り合う印刷胴、たとえば、版胴との接触部に伝播し、インキの転移に影響を及ぼすことがある。この影響は、幅方向に延在するように発生するので、印刷物に幅方向に延在するすじ状の印刷障害、いわゆるショック目が発生することになる。
【０００３】
これを防止するものとして、たとえば、版胴とブランケット胴との間を両軸端部に設けたベアラによって接触させ、両胴の間に大きな回転方向荷重を作用させ、衝撃荷重の影響をなくすようにするものが一般的に知られている。
また、衝撃荷重の大きさを低減させるものとして、いわゆる、緩和曲線形状として、衝撃荷重の大きさを低減させる手法も採用されることがある。
【０００４】
この他、ギャップ部の形状の工夫により衝撃荷重の大きさを低減させるものとして、たとえば、特許文献１に示されるものも提案されている。
これは、ギャップをブランケット胴の軸線方向に対して傾斜するように設けたものである。この傾斜量は、ギャップの一端部の回転方向位置が、他端部のそれに比べてギャップの幅以上に離隔されている。
これにより、ブランケット胴のギャップが他の印刷胴に回転方向で除々に接触するので、衝撃荷重の大きさを低減させることができる。
【０００５】
【特許文献１】特開昭５８−１１０２５２号公報
【発明の開示】
【発明が解決しようとする課題】
【０００６】
しかしながら、特許文献１に示されるものは、ギャップが軸線方向に対して大きく傾斜されているので、ブランケットの形状がそれに合わせた特殊形状とする必要があり、汎用性に欠けるという問題があった。
そして、高速化、高品質化が進んでいる最近の印刷機では、従来のベアラ等によるショック目対策では十分といえず、更なる、ショック目低減を求められている。
【０００７】
本発明は、上記問題点に鑑み、ショック目を効果的に防止でき、汎用性を備えた印刷機を提供することを目的とする。
【課題を解決するための手段】
【０００８】
上記課題を解決するために、本発明は以下の手段を採用する。
すなわち、本発明にかかる印刷機は、周面に巻き付けられるブランケットの両端部を、該周面に形成されたギャップ部に係止させて取り付けるブランケット胴を有する印刷機であって、前記ギャップ部における該ブランケット胴の前記周面から連続する両方の周縁部のうち少なくとも一方の周縁部は、該ブランケット胴の長手方向に沿って回転方向の位置が変化する湾曲形状とされていることを特徴とする。
【０００９】
本発明にかかる印刷機では、ギャップ部の周縁部は、ブランケット胴の長手方向に沿って回転方向の位置が変化する湾曲形状とされているので、周縁部におけるブランケット胴の幅方向長さは、除々に大きく、あるいは小さくなる。
このため、このギャップ部の周縁部が、ブランケット部の回転に伴い隣り合う印刷胴、たとえば、圧胴あるいは版胴に接触あるいは離間する場合、接触部の長さは漸増あるいは漸減するので、周縁部に作用する衝撃荷重を小さくすることができる。
このように、ギャップ部の周縁部に作用する衝撃荷重を小さくできるので、ショック目の発生を抑制することができる。
【００１０】
また、周縁部は湾曲形状とされているので、幅方向に回転方向の位置の変化率が増加するところと減少するところとがあるし、あるいは、この変化率が大きいところと小さいところとがある。
このため、一方向に傾斜して両端部で大きなずれが発生するものに比べて周縁部における回転方向の位置ずれは小さくできるので、従来のブランケットを装着することができ、汎用性を向上させることができる。
【００１１】
また、本発明にかかる印刷機では、前記湾曲形状は、前記ブランケット胴の幅方向略中央部に対して略左右対称とされていることを特徴とする。
【００１２】
このように、湾曲形状は、ブランケット胴の幅方向略中央部に対して略左右対称とされているので、ギャップ部の周縁部が、ブランケット胴の回転に伴い隣り合う印刷胴に接触する場合、周縁部に作用する荷重は左右略均等となる。
このため、ブランケット胴の両側における支持部にかかる荷重が均等となるので、ブランケット胴は安定して支持される。
このように、ブランケット胴が安定して支持されると、その回転が滑らかとなるので、一層ショック目の発生を抑制することができる。
【００１３】
また、本発明にかかる印刷機では、前記周縁部は、ギャップ側に向かうに連れ外径が漸次小さくなるような曲線形状とされていることを特徴とする。
【００１４】
このように、周縁部は、ギャップ側に向かうに連れ外径が漸次小さくなるような曲線形状とされているので、ギャップ部の周縁部が他の印刷胴に接触あるいは離間する場合、幅方向に加えて半径方向においても除々に接触するので、一層衝撃荷重の大きさを低減させることができる。
このため、一層ショック目の発生を抑制することができる。
【００１５】
また、上記各発明では、前記湾曲形状は、中央部が前記ギャップ部側に突出するように形成されているのが好適である。
このようにすると、たとえば、圧胴で搬送される枚葉紙に対しブランケットは最初に中央部で接触し、接触部分が順次両側に拡大することになる。このため、枚葉紙は中央部から順次両側に広げられ、言い換えると、枚葉紙は延ばされるので、枚葉紙にしわが発生することを抑制することができる。
【００１６】
また、上記各発明では、前記湾曲形状は、中央部が前記ギャップ部側から離れるように形成されていることが好適である。
このようにすると、ギャップ部の周縁部は、たとえば、両端部分から隣り合う印刷胴に接触することとなる。
ブランケット胴の両端部分は、中央部に比べて自重による撓みが小さいので、隣り合う印刷胴に対する接触圧力が中央部に比べて小さくなる。
したがって、接触開始時の周縁部に作用する衝撃荷重を一層小さくすることができる。
【００１７】
また、上記各発明では、前記湾曲形状は、凹凸を繰り返すように形成されていることが好適である。
このようにすると、接触開始時の周縁部に作用する衝撃荷重を緩和することができる。
【発明の効果】
【００１８】
本発明によれば、ギャップ部の周縁部は、ブランケット胴の長手方向に沿って回転方向の位置が変化する湾曲形状とされているので、ショック目の発生を抑制することができる。
また、汎用性を向上させることができる。
【発明を実施するための最良の形態】
【００１９】
以下に、本発明の一実施形態にかかる枚葉印刷機（印刷機）１について、図１〜図５を用いて説明する。
図１は、枚葉印刷機１の全体概略構成を示す正面図である。図２は、印刷ユニット５の一部を拡大して示す部分正面図である。
枚葉印刷機１は、被印刷物である枚葉紙が供給される上流側から下流側に向けて、給紙装置３と、複数の印刷ユニット５と、排紙装置７とが備えられている。
給紙装置３は、図示しない給紙機構（紙吸、カム等）によって給紙台１１の上に積層された枚葉紙９を上から順に一枚ずつ取上げて供給するものである。
給紙台１１は、給紙機構が枚葉紙９と略一定の位置関係を保つように枚葉紙９の供給に対応して上動するように構成されている。
【００２０】
印刷ユニット５は、印刷する色ごとに複数設けられている。本実施形態では、Ｃ（シアン），Ｍ（マゼンダ），Ｙ（イエロー）およびＢＬ（ブラック）からなる４色の色によって印刷する４色機が示されており、４つの印刷ユニット５が設けられている。
【００２１】
各印刷ユニット５には、インキを供給するインキ装置１３と、湿し水を供給する湿し装置１５と、これらインキ装置１３と湿し装置１５に対向配置された版胴１７と、この版胴１７に対向配置されたブランケット胴１９と、このブランケット胴１９に対向配置された圧胴２１と、各印刷ユニット５の圧胴２１間に配置される中間胴２３とが備えられている。これら各胴は、印刷機のフレームにより回動可能に支持されている。
【００２２】
インキ装置１３は、複数のインキローラを備えており、インキが貯留されたインキ壺２５からインキ供給し、順次薄く延ばしインキ着けローラ２７から版胴１７の周面に巻き付けられた刷版２９へと供給するように構成されている。
湿し装置１５は、複数のローラを備えており、湿し水が貯留された水舟３１から供給された湿し水を水着けローラ３３から版胴１７の周面に巻き付けられた刷版２９へと供給するように構成されている。
インキ装置１３および湿し装置１５は、印刷を行わない非印刷時等には、版胴１７から離間させられるように構成されている。
【００２３】
版胴１７は、印刷用画像が形成された刷版２９が外周に巻回された円筒状とされている。刷版２９は、印刷すべき画像毎に作成され、交換される。
版胴１７には、図２に示されるように、外周の一部の角度範囲が軸線方向に切り欠かれ溝状にされた版胴ギャップ部３５が設けられている。
版胴ギャップ部３５の内壁面側には、刷版２９の上流端である版頭および刷版の下流端である版尻を掴んで固定する版締め装置が設けられている。
【００２４】
ブランケット胴１９は、版胴１７の刷版上のインキを受け取り、圧胴２１との間を通過する枚葉紙９に対してインキを転移する（オフセット印刷）。ブランケット胴１９の外周面（周面）２０には、弾性材料、例えばゴムで形成されたブランケット３７が巻回されている。
ブランケット胴１９には、図２に示されるように、外周の一部の角度範囲が軸線方向に切り欠かれた溝であるブランケット胴ギャップ部（ギャップ部）３９が設けられている。
ブランケット胴ギャップ部３９には、ブランケット３７の上流端および下流端の取付部を掴んで固定する一対のゴム張り軸４１，４３が設けられている。
ゴム張り軸４１，４３には、ブランケット３７の取付部を受け入れ、係合する溝が設けられている。ゴム張り軸４１，４３は、図示しない駆動源によって回動されるように構成されている。
ブランケット胴１９は、印刷を行わない非印刷時等には、版胴１７から離間させることができるように構成されている。
【００２５】
圧胴２１は、ブランケット胴１９に対向配置され、円筒状とされている。圧胴２１は、版胴１７およびブランケット胴１９の直径の２倍の直径を有する、いわゆる倍胴仕立てとされている。
圧胴２１の周面には、外周の一部の角度範囲が軸線方向に切り欠かれた圧胴ギャップ部４５が軸線中心を挟んで２ヶ所に備えられている。圧胴ギャップ部４５の回転方向下流側には、枚葉紙９の先端を保持する爪装置４７が取付けられている。
圧胴２１は、印刷時に枚葉紙９を介してブランケット胴１９に接触し、ブランケット胴１９との間に供給される枚葉紙９に対して所望の圧力を与える。これにより、ブランケット胴１９上のインキを枚葉紙９上に転移させる。
【００２６】
中間胴２３は、各印刷ユニット５の圧胴２１間に設けられ、円筒状とされている。中間胴２３は、給紙装置３側のものを除いて版胴１７およびブランケット胴１９の直径の２倍の直径を有する、いわゆる倍胴仕立てとされている。
中間胴２３の周面には、枚葉紙９の先端を保持する爪装置（図示省略）が軸線中心を挟んで２ヶ所に備えられている。中間胴２３によって、上流側の圧胴２１から下流側の圧胴２１へと枚葉紙９が送られる。
【００２７】
上述のインキ装置１３、湿し装置１５、版胴１７、ブランケット胴１９、圧胴２１および中間胴２３は、それらの周速が略一致するように枚葉印刷機１に設けられた一つのメインモータ（図示せず）によって回転させられる。
つまり、メインモータからの回転力がギアを介して各部材に伝達されるようになっている。
【００２８】
排紙装置７には、チェーングリッパ４９と、排紙台５１とが備えられている。
チェーングリッパ４９は、最終の印刷ユニット５の圧胴２１に隣接する位置と排紙台５１の上方位置とを循環移動する一対のチェーンと、その間を連結するくわえ棒と、くわえ棒に所定間隔を空けて設置された爪装置と、を備え、圧胴２１から枚葉紙９を受取って排紙台５１の上方位置まで搬送するものである。
排紙台５１は、上下方向に移動可能に構成され、チェーングリッパ４９から排出される枚葉紙９を積層して保持する。
排紙台５１は、枚葉紙９の落下距離が略一定となるように徐々に下動するように制御されている。
【００２９】
次に、ブランケット胴１９の構造について図３〜図５によって説明する。
図３はブランケット胴１９の中央部分、すなわち、ジャーナル部を除く部分を軸部およびゴム張り軸４１，４３を省略して示す斜視図である。図４は、図３のＸ視図である。図５は、図３のＹ視図である。
ブランケット胴ギャップ部３９の回転方向における内側面を形成する両端部側には、略半径方向に延在する端部５３，５５が設けられている。端部５３，５５の外周側には、外周面２０に接続される周縁部５７，５９が設けられている。
【００３０】
周縁部５７は、幅方向Ｗに沿って、両端位置に比べて幅方向の中央位置Ｃにおいて最も回転方向Ｋに突出するように湾曲されている湾曲形状とされている。
すなわち、外周面２０と周縁部５７との境界線６１は、図５に示されるように、回動軸長手方向中央位置の点Ｂが回動軸長手方向端部の点Ａよりも回転方向Ｋ下流側に突出するように湾曲している。また、周縁部５７のギャップ部内側端部に形成される境界線６３も略同じ形状に湾曲している。
【００３１】
この湾曲形状は、図５に示されるように中央位置Ｃを境として左右対称に形成されている。
また、回転方向Ｋにおける点Ａから点Ｂまでの距離Ｌは、ブランケット胴ギャップ部３９に対応する位置にある圧胴２１の爪装置４７との干渉しない範囲で、かつ、ゴム張り軸４３が通常のブランケット３７を巻き取れる範囲で、衝撃荷重の低減効果を勘案して適宜設定される。
距離Ｌは、たとえば、数ｍｍ以内、望ましくは２ｍｍ以内に設定されるのが好適である。
【００３２】
周縁部５７は、図４に示されるように境界線６１から回転方向Ｋへ進むにつれて除々に外径が低減するように形成されている。
この外径の低減割合は境界線６１側が小さく、回転方向に進むに連れて順次大きくなるようにされ、なだらかな曲線、いわゆる、緩和曲線形状（曲線形状）Ｍが形成される。
緩和曲線形状Ｍは周縁部５７の幅方向Ｗ全域に亘り略同形状に形成されている。
【００３３】
また、図３に示されるように、周縁部５９については、周縁部５７と反対勝手、すなわち、中央位置Ｃにおいて回転方向Ｋの上流側に突出するように略同形状に構成されている。
なお、周縁部５９は、周縁部５７の接触とは異なり圧胴との接触後にギャップ部が対向することになるので、周縁部５９で生じる衝撃自体は周縁部５７と比べると少なくなる傾向にある。このため、求められる品質によっては湾曲させずに従来どおり幅方向に直線形状となるようにしてもよい。
【００３４】
以上、説明した本実施形態にかかる枚葉印刷機１の動作について説明する。
給紙装置３の給紙台１１に積載された枚葉紙９は、図示しない給紙機構によって最上部から１枚ずつ取り出され、印刷ユニット５に供給される。
供給された枚葉紙９は、印刷ユニット５の中間胴２３の爪装置（不図示）によってくわえられ、次いで中間胴２３から圧胴２１の爪装置４７へくわえ替えされる。これを繰り返して４つの印刷ユニット５を通して搬送される。
【００３５】
各印刷ユニット５では、版胴１７の周面に取付けられた刷版２９の非画線部に湿し装置１５の水着けローラ３３から水が供給され、次いで刷版の画線部にインキ供給装置１３からインキが供給される。
これにより得られる刷版２９上の印刷画像がブランケット胴１９の外周面２０に巻き付けられたブランケット３７に転写される。
ブランケット２９に転写された印刷画像は、圧胴２１の爪装置４７に咥えられて運ばれる枚葉紙９に転写され、１色の印刷が行われる。
【００３６】
このとき、ブランケット胴ギャップ部３９におけるブランケット３７は、周縁部５７，５９に沿って巻き付けられているので、その外形は周縁部５７，５９に沿う形状、すなわち、ブランケット胴の回転軸長手方向となる幅方向Ｗにおいて回転方向Ｋに湾曲し、半径方向において緩和曲線形状Ｍとされている。
圧胴２１とブランケット胴１９とが回転し、両者の係合位置ＫＫを、相互に接触しない圧胴ギャップ部４５およびブランケット胴ギャップ部３９が通過すると、圧胴２１では枚葉紙９を咥えた爪装置４７が、ブランケット胴１９では周縁部５５が除々に係合位置ＫＫに接近する。
【００３７】
そして、爪装置４７が係合位置ＫＫを通過し終わるタイミングで周縁部５７が係合位置ＫＫに到達する。
周縁部５７が係合位置ＫＫに至ると、中央位置Ｃにおける緩和曲線形状Ｍ部分に位置するブランケット３７が、枚葉紙９に接触し始める。ブランケット３７の枚葉紙９への接触範囲は緩和曲線形状Ｍ部分で両端部に向かって拡大するとともに外周面２０部分に位置する範囲に至ることになる。
この部分においても、まず、中央位置Ｃにおける点Ｂから接触を始め、順次両端部に向かって接触部分が増加する。
【００３８】
そして、点Ａの近傍が係合位置ＫＫに至ると、枚葉紙９の全面がブランケット３７と接触し、さらに点Ｄ（図５参照）が係合位置ＫＫに至ると、ブランケット３７上の印刷画像が枚葉紙９に転写され始める。
なお、ブランケット胴１９および圧胴２１がさらに回転すると、ブランケット３７から枚葉紙９への印刷画像の転移が終了し、ブランケット胴ギャップ部３９と圧胴ギャップ部４５が係合位置ＫＫに近づく。周縁部５７が係合位置ＫＫを通過する際、ブランケット３７と圧胴２１との接触範囲が徐々に減少し、ブランケット３７は圧胴２１との接触が断たれることとなる。
【００３９】
このように、周縁部５７では、ブランケット３７は枚葉紙９、言い換えると、圧胴２１に中央位置Ｃにおいて略点接触し、その後順次接触範囲が両端部に向かい漸増するので、ブランケット胴１９に作用する衝撃荷重を小さくすることができる。
このように、周縁部５７に作用する衝撃荷重を小さくできるので、ブランケット胴１９の版胴１７への係合位置に対する衝撃伝播は少なくなり、ショック目の発生を抑制することができる。
また、周縁部５７における点Ａから点Ｂまでの距離Ｌを小さくしているので、従来構造のブランケット３７を装着することができ、汎用性を向上させることができる。
【００４０】
さらに、湾曲形状は、中央位置Ｃに対して略左右対称とされているので、周縁部５７が、ブランケット胴の回転に伴い、たとえば、圧胴２１に接触する場合、周縁部５７に作用する荷重は左右略均等となる。
このため、ブランケット胴１９の両側における軸支部にかかる荷重が均等となるので、ブランケット胴１９は安定して支持される。
このように、ブランケット胴１９が安定して支持されると、その回転が滑らかとなるので、一層ショック目の発生を抑制することができる。
【００４１】
また、圧胴２１で搬送される枚葉紙９に対しブランケット３７は最初に中央部で接触し、接触部分が順次両側に拡大することになる。このため、枚葉紙９は中央部から順次両側に広げられ、言い換えると、枚葉紙は伸ばされるので、枚葉紙９にしわが発生することを抑制することができる。
【００４２】
これが各印刷ユニット５で繰り返されカラー印刷される。
カラー印刷された枚葉紙９は最後の印刷ユニット５の圧胴２１からチェーングリッパ４９の爪装置にくわえ替えされる。
チェーングリッパ４９で搬送される枚葉紙９は、排紙台５１の上方でくわえを外され、落下し、排紙台５１上に積み上げられる。
このとき、未乾燥のインキが上側の枚葉紙９の裏に写るのを防止するため、枚葉紙９の上にパウダが噴霧される。
【００４３】
なお、本実施形態では、周縁部５７は、幅方向Ｗに沿って、両端位置に比べて幅方向の中央位置Ｃにおいて最も回転方向Ｋ下流側に突出するように湾曲されている湾曲形状とされているが、これに限定されるものではなく、湾曲形状は任意形状とすることができる。
たとえば、図６に示されるように、幅方向Ｗに沿って、両端位置に比べて幅方向の中央位置Ｃにおいて最も回転方向Ｋ上流側に突出するように湾曲されている湾曲形状としてもよい。
このようにすると、周縁部５７の両端部分から圧胴２１に接触することとなる。
ブランケット胴１９の両端部分は、中央部に比べて自重による撓みが小さいので、圧胴２１に対する接触圧力が中央部に比べて小さくなる。
したがって、接触開始時の周縁部５７に作用する衝撃荷重を一層小さくすることができる。
【００４４】
また、図７に示されるように、湾曲形状を、幅方向Ｗに沿って凹凸を繰り返すように形成してもよい。
さらに、これらは、中央位置Ｃに対して左右対称に湾曲させているが、左右非対称な湾曲形状としてもよい。
【００４５】
また、本実施形態では、周縁部５７，５９は、湾曲形状と緩和曲線形状Ｍとを併せ持つようにされているが、必要に応じて湾曲形状のみを持つようにしてもよい。
【００４６】
なお、本発明は本実施形態に限定されるものではなく、本発明の要旨を逸脱しない範囲内において適宜変更することができる。
また、本実施形態では、枚葉印刷機に適用しているが、本発明は輪転印刷機等適宜な形式の印刷機に適用することができる。
【図面の簡単な説明】
【００４７】
【図１】本発明の一実施形態にかかる枚葉印刷機の全体概略構成を示す正面図である。
【図２】本発明の一実施形態にかかる印刷ユニットの一部を拡大して示す拡大部分正面図である。
【図３】本発明の一実施形態にかかるブランケット胴の一部を示す斜視図である。
【図４】図３のＸ視図である。
【図５】図３のＹ視図である。
【図６】本発明の一実施形態にかかるブランケット胴の別の実施態様を示す図３のＹ視図である。
【図７】本発明の一実施形態にかかるブランケット胴のさらに別の実施態様を示す図３のＹ視図である。
【符号の説明】
【００４８】
１  枚葉印刷機
１９  ブランケット胴
２０  外周面
３７  ブランケット
３９  ブランケット胴ギャップ部
５７，５９  周縁部
Ｃ  中央位置
Ｋ  回転方向
Ｍ  緩和曲線形状
【図１】
2008201092.tif 000003
【図２】
2008201092.tif 000004
【図３】
2008201092.tif 000005
【図４】
2008201092.tif 000006
【図５】
2008201092.tif 000007
【図６】
2008201092.tif 000008
【図７】
2008201092.tif 000009